(57)【要約】【課題】フレームから成っていて付属装置を装着可能なケーシングにおいて、種々の付属装置を煩雑な組み付け作業なしに任意のフレーム箇所に簡単かつ迅速に取り付けることができるようにする。【解決手段】本発明に基づき、フレームのフレーム脚部１０の外面１１に、外部に向かって開いた受容溝１３を一貫して設けてあり、該受容溝（１３）は、付属装置のための、該受容溝に対応して形成された固定手段を受容するようになっている。【選択図】図１
2007146865.tif 000002
【特許請求の範囲】
【請求項１】
ケーシングであって、正面側にケーシング開口を有しており、該ケーシング開口はフレームによって囲まれており、該フレームはフレーム脚部によって構成されており、前記ケーシング開口はフロントプレート若しくはカバープレートによって閉鎖されるようになっており、前記フレームのフレーム脚部に付属装置を結合できるようになっている形式のものにおいて、フレーム脚部（１０）の外面（１１）に、外部に向かって開いた受容溝（１３）を一貫して設けてあり、該受容溝（１３）は、固定用部材（１５）の差し込みのため、若しくは付属装置（２０）に一体成形された結合用部材（２３）の差し込みのためのアンダーカットされてなる受容部（１４）を形成しており、前記固定用部材（１５）若しくは結合用部材（２３）は、受容溝（１３）の前記受容部（１４）の横断面に適合さていることを特徴とする、フレームによって形成されたケーシング。
【請求項２】
ケーシングであって、正面側にケーシング開口を有しており、該ケーシング開口はフレームによって囲まれており、該フレームはフレーム脚部によって構成されており、前記ケーシング開口はフロントプレート若しくはカバープレートによって閉鎖されるようになっており、前記フレームのフレーム脚部に付属装置を結合できるようになっている形式のものにおいて、フレーム脚部（１０）の外面（１１）に、外部に向かって開いた受容溝（１３）を一貫して設けてあり、該受容溝（１３）は、ねじ用リブ（１８）を備えており、該受容溝（１３）の任意の箇所に固定用ねじをねじ込むようになっており、該固定用ねじを用いて付属装置（２０）、若しくは付属装置（２０）の取り付けのための固定用部品は、前記フレームのフレーム脚部（１０）に結合されるようになっていることを特徴とする、フレームによって形成されたケーシング。
【請求項３】
フレーム脚部（１０）は、フレームの外側に向かって開かれたコーナー片（６０）を介して互いに結合されるようになっており、該コーナー片は固定用フランジを介して隣接のフレーム脚部（１０）に結合されるようになっており、コーナー片（６０）の前記開かれた部分はカバー部材によって閉じられるようになっている請求項１又は２に記載のケーシング。
【請求項４】
フレーム脚部（１０）の受容溝（１３）の、固定用部材（１５）若しくは結合用部材（２３）が取り付けられていない箇所は、該箇所に差し込まれた条片状の閉鎖部材（１９）によって閉じられており、該閉鎖部材はフレーム脚部（１０）と同一面を成している請求項１から３のいずれか１項に記載のケーシング。
【請求項５】
フレーム脚部（１０）の受容溝（１３）の、付属装置（２０）が取り付けられていない箇所は、該箇所に差し込まれた条片状の閉鎖部材（１９）によって閉じられており、該閉鎖部材はフレーム脚部（１０）と同一面を成している請求項１から３のいずれか１項に記載のケーシング。
【請求項６】
付属装置（２０）は物置用トレー（７０）として形成されており、物置用トレーは下方の水平なフレーム脚部（１０）に結合されており、物置用トレー（７０）の背壁の外側に、条片として形成された固定用部材（１５）を一体成形してある請求項１から５のいずれか１項に記載のケーシング。
【請求項７】
物置用トレー（７０）と、固定用アングル片として形成された固定用部材（１５）とは、ねじ結合部を用いて互いに結合されている請求項６に記載のケーシング。
【請求項８】
付属装置（７０）は、ケーシングのフレーム脚部（１０）と同じフレーム脚部から成るフレームを有しており、該フレームはキーボード（７２）を受容しており、ケーシングのフレームとキーボード（７２）のフレームとはヒンジ（７１）を介して互いに結合されており、ヒンジ（７１）は、条片として形成された２つの固定用部材（１５）を介してケーシングのフレーム脚部（１０）及び付属装置のフレーム脚部（１０）に結合されている請求項１から７のいずれか１項に記載のケーシング。
【請求項９】
条片として形成された固定用部材（１５）は、ヒンジ（７１）の両方の各ヒンジ部品に一体成形されている請求項８に記載のケーシング。
【請求項１０】
付属装置（２０）はＵ字形のグリップ（７３）として形成されており、グリップの側方脚部は該側方脚部の端部を固定用部材（１５）として形成されている請求項１から９のいずれか１項に記載のケーシング。
【請求項１１】
付属装置（２０）は水平な物置プレート（７５）として形成されており、物置プレートは固定用アングル片（７４）を用いてフレームの垂直なフレーム脚部（１０）に結合されるようになっており、このために固定用アングル片の固定用部材（１５）は前記垂直なフレーム脚部の受容溝（１３）に差し込まれるようになっている請求項１から１０のいずれか１項に記載のケーシング。
【発明の詳細な説明】
【技術分野】
【０００１】
本発明は、ケーシングであって、正面側にケーシング開口を有しており、該ケーシング開口はフレームによって囲まれており、該フレームはフレーム脚部によって構成されており、前記ケーシング開口（フレーム開口）はフロントプレート若しくはカバープレートによって閉鎖されるようになっており、前記フレームのフレーム脚部に付属装置（例えばグリップ又は取っ手、棚、支持アーム、スタンド、キーボード等）を結合できるようになっている形式のものに関する。
【背景技術】
【０００２】
前記形式のケーシングは有利には制御装置として形成されていて、種々の構造で用いられる。この場合に付属装置（補助器具とも称される）はケーシングの使用目的に合わせて、若しくは設置個所或いは設置形式に合わせて形成されている。従って従来のケーシングにおいては、特殊な種々のタイプのものが存在する。このことは、種々の使用領域のための種々のタイプのケーシングのストックを必要とし、ひいてはストック量を増大させることになる。さらなる欠点として、付属装置の取り付けは付加的な組み付け作業を必要とし、該付加的な組み付け作業は、特にすでに設置して使用されているケーシングにおいては容易には実施できるものではない。
【発明の開示】
【発明が解決しようとする課題】
【０００３】
本発明の課題は、冒頭に述べた形式のケーシングを改善して、種々の付属装置が、すでに使用されているケーシングにおいても煩雑な組み付け作業を伴うことなしに簡単かつ迅速に取り付けられるようにすることである。
【課題を解決するための手段】
【０００４】
前記課題を解決するために本発明に基づく１つの構成では、フレーム脚部の外面に、外部に向かって開いた受容溝を一貫して、即ち全長にわたって設けてあり、該受容溝は、固定用部材（固定手段）の差し込みのため、若しくは付属装置に一体成形された結合用部材（結合手段）の差し込みのためのアンダーカットされてなる受容部（アンダーカット部）を形成しており、前記固定用部材若しくは結合用部材は、受容溝の前記受容部の横断面に適合さている。さらに前記課題を解決するために本発明に基づく別の構成では、フレーム脚部の外面に、外部に向かって開いた受容溝を一貫して、即ち全長にわたって設けてあり、該受容溝は、ねじ用リブを備えており、該受容溝の任意の箇所に固定用ねじを差し込むようになっており、該固定用ねじを用いて付属装置、若しくは付属装置の取り付けのための固定用部品は、前記フレームのフレーム脚部に結合されるようになっている。
【０００５】
フレームのフレーム脚部の外側に向けられた受容溝は、ケーシングの機能を損なうものではなく、周囲の任意の箇所での付属装置の取り付け（固定）を可能にするものである。該受容溝は、付属装置の取り付けに利用されない場合には簡単な閉鎖部材（カバー部材又は充填部材若しくはウエザーストリップ）によって閉鎖されてよい。
【０００６】
受容溝は、横断面を該受容溝に合わせて形成された固定用部材若しくは結合用部材を受容するようになっている。
【０００７】
固定用部材は、付属装置に結合されていて、ケーシングのフレームのフレーム脚部内に差し込まれ、若しくは押し込まれる。別の実施態様では、固定用部材若しくは固定用構成部分は付属装置に一体成形されていてよい。
【０００８】
受容溝に受容溝長手方向へ延びる複数のねじ用リブ若しくは歯列状隆起部を設けてある、即ち受容溝を固定ねじ用溝として形成してある場合には、任意の箇所で該受容溝内に差し込まれた固定用ねじ若しくは固定用ねじ部品によって付属装置は直接にフレーム脚部に結合される。
【０００９】
ケーシングのためのフレームの有利な構成では、フレーム脚部はコーナー片（角隅片）を介して互いに結合されており、この場合にコーナー片は有利にはフレームの外側に向かって開かれていて、固定フランジを介して隣接のフレーム脚部に結合されるようになっており、フレーム脚部の受容溝はコーナー片内でも継続されており、かつコーナー片は、フレームの外側に向かって開かれた部分をカバー部材によって閉じられるようになっている。カバー部材はコーナー片内の受容溝を画成している。このような構造によってコーナー片は、フレーム脚部の受容溝内への固定用部材若しくは結合用部材の簡単な差し込みを可能にしている。フレームのコーナー領域は、カバー部材によって外観を損なわないように閉鎖される。
【００１０】
ケーシングの美観は次のような構成によって得られており、即ち、フレーム脚部の受容溝の、固定用部材若しくは結合用部材或いは付属装置が取り付けられていない箇所、換言すれば固定用部材若しくは結合用部材或いは付属装置を装着されていない箇所は、該箇所に差し込まれた条片状の閉鎖部材若しくはウエザーストリップ等によって閉じられ（装填され）ており、この場合に該閉鎖部材若しくはウエザーストリップ等はフレーム脚部と同一面を成している。
【００１１】
１つの実施態様では付属装置は、一時的な保管、即ち物置のための容器、例えば物置用トレー若しくは物置棚（保管棚）として形成されており、物置用トレー若しくは物置棚は下方の水平なフレーム脚部（下枠）に結合されており、かつ物置用トレー若しくは物置棚の背壁の外側に、条片として形成された固定用部材若しくは固定用構成部分を一体成形してある。さらに別の実施態様では、固定用部材は固定用アングル片として形成されており、固定用アングル片と物置用トレー若しくは物置棚とは、ねじ結合部を用いて互いに結合されている。
【００１２】
別の実施態様では、制御装置として形成されたケーシングに付属装置としてのキーボードを結合するようになっている。このために有利には、付属装置としてのキーボードは、ケーシングのフレーム脚部と同じフレーム脚部から成るフレーム内に受容されており、ケーシングのフレームとキーボード（付属装置）のフレームとはヒンジ（丁番）を介して互いに結合されており、これによってキーボードはケーシングに対して所定の角度に、ひいては所定の作業位置に調節されるようになっており、この場合にヒンジは、条片として形成された２つの固定用部材若しくは固定用構成部分を介してケーシングの所属のフレーム脚部とキーボードの所属のフレーム脚部とに結合されている。条片として形成された両方の固定用部材若しくは固定用構成部分は、それぞれヒンジの両方の各ヒンジ部品に一体成形されていてよい。
【００１３】
ケーシング若しくは制御装置を容易に持ち運び可能に、即ち携帯可能にするために有利な実施例では、付属装置はＵ字形のグリップ（取っ手）として形成されており、グリップの側方脚部は、自由な端部を固定用部材若しくは固定用構成部分に結合されているか、若しくは端部を固定用部材若しくは固定用構成部分として形成されている。グリップの側方脚部の固定用部材若しくは固定用構成部分は、フレームの水平方向のフレーム脚部（上枠又は下枠）若しくは垂直方向のフレーム脚部（立枠）の受容溝内に差し込まれる。
【００１４】
ケーシングを作業スペース内に装着する場合には、マウスのための付加的な支持面を形成するために、付属装置は水平な支持プレートとして形成されており、該支持プレートは固定用アングル片を用いてフレームの垂直なフレーム脚部に結合されるようになっており、このために固定用アングル片の固定用部材若しくは固定用構成部分は前記垂直なフレーム脚部の受容溝に差し込まれるようになっている。
【発明を実施するための最良の形態】
【００１５】
図１及び図２には、フレームによって囲われたケーシング開口内への付属装置の互いに異なる二種類の固定形式を示してある。図１に示してあるように、フレームのフレーム脚部１０は組み込みケーシング３１のフロント部を受容しており、組み込みケーシングは内側へ向けられた条片部（リブ部）３２に当接させられ、かつねじ３９によって固定されている。ねじ３９はホルダー３７内に調節可能に保持されており、ホルダーは組み込みケーシング３１に取り付けられている。内側へ向けられた条片部（リブ）３４，３６は、フレーム脚部１０の内面１２に溝３３，３５を画成しており、該溝は例えば透明なカバープレート若しくはフロントプレートを受容できるようになっており、カバープレート若しくはフロントプレートは表示部材及び操作部材を備えていてよい。フレーム脚部１０はシール部材５０のための受容部４２を形成しており、該シール部材は組み込みケーシング３１とフレーム脚部１０との間の移行部を密閉するようになっている。フレーム脚部１０の外面１１に受容溝１３を設けてあり、該受容溝は、アンダーカットされてなる受容部１４を有している。受容溝１３内には固定用部材（固定用ブロック片若しくは固定用ピース）１５を差し込んであり、該固定用部材は、受容溝の横断面に相当する横断面を有している。各固定箇所にそれぞれ１つの固定用部材１５を設けて、即ち受容溝内に固定箇所の数に相当する数の固定用部材を差し込んでいてよい。複数の固定用部材の代わりに、複数の固定箇所にわたって延びる１つの固定用条片（固定用ロッド）を用いることも可能である。受容部１４を完全に満たしてフレーム脚部の外面と同一面を成す固定用部材１５に、ねじ受容部１６を設けてあり、固定用ねじ２２を用いて付属装置２０をフレーム脚部１０に取り付けるようになっている。固定用ねじ２２は付属装置２０の固定孔２１を通されている。
【００１６】
図２に示す実施例では、フロントプレート３０は条片部３２に当接させられた状態で、保持部材４０を用いて保持されるようになっており、該保持部材はフロントプレート３０の縁部を覆っていて、ねじ受容部４２にねじ込まれたねじ４１によってコーナー受容部に締め付けられている。保持部材４０はシール部材５０と一緒にフロントプレート３０の縁部を密閉している。フレーム脚部１０に結合されるべき付属装置２０は、一体成形された結合用部材２３を有しており、該結合用部材は条片として形成されて、受容溝１３の受容部４２内に差し込まれている。フレームは４つのフレーム脚部１０から組み立てられており、これらのフレーム脚部（フレーム片）は、成形ストリップ若しくは形材から裁断されたものである。
【００１７】
コーナー片（コーナー結合部材）は、フレームのコーナー領域でフレームの互いに９０°の角度を成して相互に突き合わされたフレーム脚部１０の結合を行うものである。コーナー片は、外側に向かって開いていて、フランジを介してフレーム脚部１０の端面に結合されている。フランジは受容溝１３もカバーして、受容部１４を延在させており、固定用部材１５若しくは結合用部材２３の差し込みはそこなわれない。
【００１８】
図３の部分断面図に示してあるように、受容部１４の両方の側壁にねじ用リブ（縦リブ）１８を設けてあり、これによって受容溝１３は固定ねじ用溝として形成されている。受容部の適当な箇所に固定用ねじをねじ込むことが可能であり、ねじ用リブはねじのリードに適合されている。付属装置は受容部１４の開口側に直接に装着される。図４に示してあるように、受容溝１３の受容部１４の、固定用部材１５若しくは、結合用部材２３若しくは、付属装置２０を装着されていない、即ちこれらの部材で塞がれていない箇所は、ウエザーストリップ状の閉鎖部材（閉鎖条片）１９によって満たされていてよく、閉鎖部材はフレーム脚部１０の外面と同一面を成している。
【００１９】
図５には扁平ケーシング（フラットケーシング若しくは浅い容器状のケーシング）を示してあり、該扁平ケーシングの前面（正面）はフレーム脚部１０及びコーナー片６０から成るフレームによって囲われていて、フロントプレート３０を受容しており、フロントプレートは表示部材若しくは操作部材を保持するようになっていてよい。プレートは透明なカバープレートであってよく、該カバープレートの後ろ側に本来のフロントプレートを配置することもできる。下方の水平なフレーム脚部１０に付属装置として物置用トレー７０若しくは物置用シャーレを取り付けてあり、該物置用トレー若しくは物置用シャーレは背壁の外側に一体成形された条片状の固定用部材１５を有している。該固定用部材（固定用構成部分）１５は、上向きに配置されていて、下方のフレーム脚部１０の下方に向かって開いている受容溝１３内に差し込まれる。別の実施例では、物置用トレー７０は固定用アングル（固定用山形片若しくはＬ形片）にねじ固定されるようになっていてもよく、固定用アングルは上向きに配置された条片状の固定用部材１５を保持している。
【００２０】
図６に示す実施例では、フレーム状の２つのケーシング、例えば扁平ケーシングから成る制御装置及びキーボード７２を備えた受容ケーシングは、ヒンジ７１を介して互いに結合されている。ヒンジ（丁番）７１は両方のヒンジ部品にそれぞれ条片状の一体成形部を有している。条片状の一体成形部は、ヒンジ７１によって互いに結合されるべき両方のフレーム脚部１０の各受容溝１３内に差し込まれる。この場合に両方のケーシング（制御装置及び受容ケーシング）の相対位置若しくは相互の枢着旋回角度（開き角度）は調節されるようになっていてよい。ヒンジ７１の代わりに、所定の傾斜角に設定された結合部品（例えば山形片のように横断面が「く」の字形の結合部材）を用いることも可能であり、該結合部品は一体成形された２つの結合条片若しくは条片状の成形部を有している。該結合条片の横断面は、結合すべきフレーム脚部１０の受容溝の受容部１４の横断面に合わせて形成されている。即ち該結合条片はそれぞれ、互いに結合されるべき両方のフレーム脚部の各受容溝の受容部内に差し込まれる。結合機能及び／又はヒンジ機能（枢着機能）は、前述の結合構造形式に限定されることなく、種々の構造形式で実施され得るものである。
【００２１】
図７に示す扁平ケーシングは、持ち運び可能なケーシングとして形成されるものであり、このために狭幅側のフレーム脚部１０に付属装置としてのＵ字形のグリップ片７３を取り付けてある。Ｕ字形のグリップ片（取っ手）７３の側方脚部の自由端部は、固定用部材１５に結合され、若しくは固定用部材１５として形成されており、固定用部材はフレーム脚部１０の受容溝１３のアンダーカットされてなる受容部１４の横断面に適合されていて、該受容部内に差し込まれるようになっている。フレームのコーナー片（角隅結合部材）６０は、フレームの外側に向かって開かれており、即ちフレームの外面側、例えば正面側若しくは側面側に外部への開口部を有しており、該開口部は、カバー部材（蓋部材）によって閉鎖されるようになっている。カバー部材はコーナー片の受容溝を画成しており、この場合にグリップ片はカバー部材を取り外した状態でコーナー片の受容溝を介してフレーム脚部の受容溝内に差し込まれてよい。コーナー片の受容溝も、該受容溝内に差し込まれたパッキン若しくはウエザーストリップ状の閉鎖部材（図４、参照）によって満たされていてよい。
【００２２】
図８に示す実施例では、ケーシングの下方の角隅領域で垂直なフレーム脚部１０に付属装置としての支持プレート７５を結合してある。支持プレート７５は固定用アングル（固定用山形片）７４の一方の脚部にねじ結合されており、固定用アングルの他方の脚部は、該脚部に設けられた固定用結合部材１５を介して垂直なフレーム脚部１０の受容溝１３内に差し込まれている。この場合にも、コーナー片６０のカバー部材を取り外すことによって、フレーム脚部の受容溝の端部への入口を開放するようになっていてよい。フレーム脚部１０へ固定用アングル７４を取り付けた後に、受容溝１３の、固定用アングル７４によって被われていない箇所は、閉鎖部材１９によってふさがれるようになっている。
【図面の簡単な説明】
【００２３】
【図１】本発明に基づく実施例のケーシング脚部の断面図
【図２】本発明に基づく別の実施例のケーシング脚部の断面図
【図３】受容溝を固定ねじ用溝として形成されたケーシング脚部の部分断面図
【図４】ケーシング脚部の受容溝を閉鎖部材で閉じられた箇所の部分断面図
【図５】物置用の容器の装着されたケーシング（操作装置用のケーシング）の斜視図
【図６】キーボードとしての付属装置を装着されたケーシングの斜視図
【図７】グリップ片を装着されたケーシングの斜視図
【図８】支持プレートの装着されたケーシングの部分斜視図
【符号の説明】
【００２４】
１０  フレーム脚部、  １１  外面、  １２  内面、  １３  受容溝、  １４  受容部、  １５  固定用部材、  １６  ねじ受容部、  １９  閉鎖部材、  ２０  付属装置、  ２１  固定孔、  ２２  固定用ねじ、  ２３  結合用部材、  ３０  フロントプレート、  ３１  組み込みケーシング、  ３３  溝、  ３４  条片部、  ３５  溝、  ３６  条片部、  ３７  ホルダー、  ３９  ねじ、  ４０  保持部材、  ４２  ねじ受容部、  ５０  シール部材、  ６０  コーナー片、  ７０  物置用トレー、  ７１  ヒンジ、  ７２  キーボード、  ７３  グリップ片
【図１】
2007146865.tif 000003
【図２】
2007146865.tif 000004
【図３】
2007146865.tif 000005
【図４】
2007146865.tif 000006
【図５】
2007146865.tif 000007
【図６】
2007146865.tif 000008
【図７】
2007146865.tif 000009
【図８】
2007146865.tif 000010